(57)【要約】【課題】建築物の設計図において、壁面に対し、立面図を表示させながら開口部パラメータを入力することにより、複数の開口部を、一度に、正確かつ容易に設定することができる建築物の作図システムを提供する。【解決手段】予め記憶された建築物の設計図において建築物の開口部を設定する建築物の開口部設定方法であって、前記設計図において、前記開口部を設定する壁面を選択する壁面選択ステップと、前記壁面選択ステップで選択した前記壁面の立面図を表示させる立面図表示ステップと、前記立面図を表示させながら、当該壁面に設定する前記開口部の少なくとも位置および大きさを含む開口部パラメータを入力させる開口部入力ステップと、前記入力された開口部パラメータに基づいて、前記開口部を前記設計図に設定するとともに前記立面図に重畳表示させる開口部設定・表示ステップと、を備える。【選択図】図４
2010009267.tif 000002
【特許請求の範囲】
【請求項１】
予め記憶された建築物の設計図において建築物の開口部を設定する建築物の開口部設定方法であって、
前記設計図において、前記開口部を設定する壁面を選択する壁面選択ステップと、
前記壁面選択ステップで選択した前記壁面の立面図を表示させる立面図表示ステップと、
前記立面図を表示させながら、当該壁面に設定する前記開口部の少なくとも位置および大きさを含む開口部パラメータを入力させる開口部入力ステップと、
前記入力された開口部パラメータに基づいて、前記開口部を前記設計図に設定するとともに前記立面図に重畳表示させる開口部設定・表示ステップと、
を備えることを特徴とする建築物の開口部設定方法。
【請求項２】
前記開口部入力ステップは、前記壁面選択ステップで選択した前記壁面に設定する複数の開口部の前記開口部パラメータを一度に入力可能であること、
を特徴とする請求項１に記載の建築物の開口部設定方法。
【請求項３】
前記開口部入力ステップは、前記壁面の基準点に対する前記開口部の基準点の相対位置を前記開口部の位置を表す前記開口部パラメータとして入力させること、
を特徴とする請求項１または２に記載の建築物の開口部設定方法。
【請求項４】
前記開口部入力ステップは、あらかじめ記憶した規格寸法の前記開口部を選択することで前記開口部パラメータを入力可能であること、
を特徴とする請求項１〜３のいずれか１項に記載の建築物の開口部設定方法。
【請求項５】
前記開口部入力ステップは、前記開口部パラメータとして前記開口部の種類を設定可能であり、
前記開口部設定・表示ステップは、前記開口部の種類に応じてあらかじめ記憶された前記開口部の画像と、前記開口部入力ステップで入力された前記開口部パラメータとに基づいて、前記開口部を前記設計図に設定するとともに前記立面図に重畳表示させること、
を特徴とする請求項１〜４のいずれか１項に記載の建築物の開口部設定方法。
【請求項６】
予め記憶された建築物の設計図において建築物の開口部を設定するプログラムであって、
前記設計図において、前記開口部を設定する壁面を選択する壁面選択ステップと、
前記壁面選択ステップで選択した前記壁面の立面図を表示させる立面図表示ステップと、
前記立面図を表示させながら、当該壁面に設定する前記開口部の少なくとも位置および大きさを含む開口部パラメータを入力させる開口部入力ステップと、
前記入力された開口部パラメータに基づいて、前記開口部を前記設計図に設定するとともに前記立面図に重畳表示させる開口部設定・表示ステップと、
を実行するプログラム。
【発明の詳細な説明】
【技術分野】
【０００１】
本発明は、建築物の設計図に開口部を設定する建築物の開口部設定方法および建築物の開口部設定システムに関するものである。
【背景技術】
【０００２】
一般に、建築物を建築する際は、コンピュータを用いた作図方法、すなわちＣＡＤ（Ｃｏｍｐｕｔｅｒ  Ａｉｄｅｄ  Ｄｅｓｉｇｎ）を利用した作図方法を用いて、建築物の設計図を作図し、建築物に必要な部品の選定作業を実施する方法が提案されている（特許文献１、２）。このような建築物の設計図においては、建築物のドアや窓等の開口部を建築物の壁面に設定する必要がある。
【０００３】
このような設計図における開口部の設定方法としては、建築物の平面図上で開口部を設定する壁面を選択し、設定する開口部の大きさと位置を、平面図に重畳表示された補助線を利用して個別に入力する方法がある。また、建築物の立面図上に開口部を描画する方法がある。
【特許文献１】特開平６−１４９９４７号公報
【特許文献２】特開２００５−５６２４８公報
【発明の開示】
【発明が解決しようとする課題】
【０００４】
しかしながら、平面図上で開口部を設定する方法では、壁面上での開口部の正確な大きさや位置（特に高さ）が把握しにくいという問題がある。また、立面図上で開口部を描画する方法では、壁面上での開口部の位置や大きさを正確に描く作業に時間がかかるという問題がある。
【０００５】
本発明は、建築物の設計図において、壁面に対し、立面図を表示させながら開口部パラメータを入力することにより、複数の開口部を、一度に、正確かつ容易に設定することができる建築物の開口部設定方法およびそれを実行するプログラムを提供することを課題としている。
【課題を解決するための手段】
【０００６】
上記目的を達成するために、請求項１に記載の建築物の開口部設定方法は、予め記憶された建築物の設計図において建築物の開口部を設定する建築物の開口部設定方法であって、前記設計図において、前記開口部を設定する壁面を選択する壁面選択ステップと、前記壁面選択ステップで選択した前記壁面の立面図を表示させる立面図表示ステップと、前記立面図を表示させながら、当該壁面に設定する前記開口部の少なくとも位置および大きさを含む開口部パラメータを入力させる開口部入力ステップと、前記入力された開口部パラメータに基づいて、前記開口部を前記設計図に設定するとともに前記立面図に重畳表示させる開口部設定・表示ステップとを備えることを特徴としている。
【０００７】
また、請求項２に記載の建築物の開口部設定方法は、請求項１に記載の建築物の開口部設定方法において、前記開口部入力ステップは、前記壁面選択ステップで選択した前記壁面に設定する複数の開口部の前記開口部パラメータを一度に入力可能であることを特徴としている。
【０００８】
また、請求項３に記載の建築物の開口部設定方法は、請求項１または２に記載の建築物の開口部設定方法において、前記開口部入力ステップは、前記壁面の基準点に対する前記開口部の基準点の相対位置を前記開口部の位置を表す前記開口部パラメータとして入力させることを特徴としている。
【０００９】
また、請求項４に記載の建築物の開口部設定方法は、請求項１〜３のいずれか１項に記載の建築物の開口部設定方法において、前記開口部入力ステップは、あらかじめ記憶した規格寸法の前記開口部を選択することで前記開口部パラメータを入力可能であることを特徴としている。
【００１０】
また、請求項５に記載の建築物の開口部設定方法は、請求項１〜４のいずれか１項に記載の建築物の開口部設定方法において、前記開口部入力ステップは、前記開口部パラメータとして前記開口部の種類を設定可能であり、前記開口部設定・表示ステップは、前記開口部の種類に応じてあらかじめ記憶された前記開口部の画像と、前記開口部入力ステップで入力された前記開口部パラメータとに基づいて、前記開口部を前記設計図に重畳表示させることを特徴としている。
【００１１】
また、請求項６に記載のプログラムは、予め記憶された建築物の設計図において建築物の開口部を設定するプログラムであって、前記設計図において、前記開口部を設定する壁面を選択する壁面選択ステップと、前記壁面選択ステップで選択した前記壁面の立面図を表示させる立面図表示ステップと、前記立面図を表示させながら、当該壁面に設定する前記開口部の少なくとも位置および大きさを含む開口部パラメータを入力させる開口部入力ステップと、前記入力された開口部パラメータに基づいて、前記開口部を前記設計図に設定するとともに前記立面図に重畳表示させる開口部設定・表示ステップとを実行することを特徴としている。
【発明の効果】
【００１２】
本発明の建築物の開口部設定方法では、建築物の設計図において、壁面に対し、立面図を表示させながら開口部パラメータを入力することにより、複数の開口部を、一度に、正確かつ容易に設定することができる。
【発明を実施するための最良の形態】
【００１３】
次に、図１から図６に基づいて、本発明を実施するための最良の実施の形態の建築物の開口部設定方法およびそれを実行するプログラムについて説明する。
【００１４】
図１は、本発明の建築物の開口部設定方法を実現する建築物の開口部設定システムの一実施形態を示すブロック図である。建築物の開口部設定システム１０は、制御部１００、入力部２００、表示部３００、記憶部４００、記憶媒体４１０、一時記憶部５００を備えている。
【００１５】
制御部１００は、記憶媒体４１０から読み込まれ記憶部４００の記憶領域に格納される各種プログラムやデータ、入力部２００から入力される各種指示入力を一時記憶部５００に格納し、プログラムに従ってそれらの指示やデータに応じた処理を実行し、その処理結果を一時記憶部５００に一時的に記憶するとともに、表示部３００に出力する。
【００１６】
また制御部１００は、入力部２００からの指示入力に基づいて建築物の設計図を作成する。入力部２００からの指示入力に基づく建築物の設計図の作成については、例えば入力部２００で表示部３００の座標を２点指示し、２点間を結ぶ直線を生成する等、一般的なＣＡＤを用いることで行う。このＣＡＤについては公知の技術であるため、説明は省略する。
【００１７】
また制御部１００は、入力部２００からの指示入力に基づいて、建築物の壁面に、建築物のドアや窓等の開口部を設定する。この開口部の設定方法については後述する。
【００１８】
入力部２００は、キーボードやいわゆるマウス等のポインティングデバイスにより構成され、指示入力に従う入力操作信号を制御部１００に対して出力する。
【００１９】
表示部３００は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成され、制御部１００から出力される建築物の設計図、各種データ等を表示する。
【００２０】
記憶部４００は、磁気的、光学的記録媒体、若しくは半導体メモリで構成された記憶媒体４１０からプログラムやデータ等を読み込み、自身が備えた記憶領域に格納する。また、制御部１００から出力されたデータ等を、記憶媒体４１０に記憶させる。記憶媒体４１０は、記憶部４００に固定的に設けたもの、または着脱自在に装着するものである。
【００２１】
一時記憶部５００は、制御部１００により実行される各種処理プログラムや、その処理に係るデータを一時的に記憶する記憶領域を備えている。
【００２２】
次に、本実施形態において、建築物の設計図の壁面に、建築物のドアや窓等の開口部を設定する方法（以下、開口部の設定方法と呼ぶ）について説明を行う。
【００２３】
図２に、開口部の設定方法のフローチャートを示す。
【００２４】
ステップＳ１０１では、入力部２００の操作により、表示部３００において既存の建築物の設計図が選択される。本実施形態では、建築物の設計図は、記憶媒体４１０から読み込まれて、記憶部４００の記憶領域または一時記憶部５００に格納されている。この後に、フローはステップＳ１０２へ移行する。
【００２５】
ステップＳ１０２では、ステップＳ１０１で選択した建築物の設計図において、建築物の立面図が表示された状態で、開口部を設定する壁面を選択する。壁面の選択には、操作者と制御部１００とのインターフェースとなる操作画面（図３参照）が表示部３００に表示され、操作者は操作画面のメニューに従って壁面の選択操作を行う。図３においては、開口部を設定する壁面を含む立面図が表示部３００に表示された状態で、操作画面の「外壁分割」ボタンを選択することで、壁面を選択する。壁面が選択されると、図３に示すように、選択された壁面の壁面設定画面が表示部３００に新たに表示される。なお、表示部３００に表示された立面図に壁面が複数存在する場合は、「外壁分割」ボタンを選択する度に、候補となる壁面の壁面設定画面が順次表示される。なお、このようなインターフェースについては、コンピュータプログラムを利用する際の一般的な方法であるため、詳細な説明は省略する。この後に、フローはステップＳ１０３へ移行する。
【００２６】
ステップＳ１０３では、ステップＳ１０２で選択した壁面に対して設定する開口部の開口部パラメータを入力する。開口部パラメータの入力には、図３に示す壁面設定画面において、「開口部」ボタンを選択する。この「開口部」ボタンが選択されると、操作者と制御部１００とのインターフェースとなる開口部入力画面（図４参照）が表示部３００に表示され、操作者は開口部入力画面のメニューに従って開口部パラメータの入力操作を行う。
【００２７】
図４に示す開口部入力画面では、入力する開口部下縁のＧｒａｎｄＬｉｎｅ（以降、ＧＬと記載）からの高さ、設定する開口部左縁の基点（例えば、選択した壁面の左下角点）からの幅（水平距離）、開口部の高さ、開口部の幅、開口部属性、開口部の規格等の開口部パラメータを設定する。各開口部パラメータは、各開口部パラメータの入力部において設定する。例えば、図４において、設定する開口部下縁のＧＬからの高さは入力部Ａで、設定する開口部左縁の基点からの幅は入力部Ｂで設定する。
【００２８】
ここで、開口部入力画面の開口部属性とは、図４に示すように、いわゆる建築部材の拾い出し作業時に影響する開口部の種類を表しており、本実施形態では、一般的な壁面に対する開口部、造作出窓、バルコニー開口、玄関等が設定可能となっている。
【００２９】
図４に示す開口部入力画面では、複数（図４では１０箇所）の開口部の開口部パラメータを同時に入力することができる。すなわち、開口部入力画面において、左端にあるチェックボックスＣＢをチェック（選択）し、開口部パラメータを入力することで、選択したチェックボックスの右側の開口部パラメータに基づいた開口部が設定・表示される。図４では、３箇所の開口部の開口部パラメータを同時に入力している。
【００３０】
ここで、頻繁に設定される規格の開口部については、開口部パラメータが事前に登録されており、図４の入力部Ｃ「開口部リスト」に表示される複数の規格から所望の規格を選択することで、選択した規格の開口部の開口部パラメータが自動的に設定される。このような開口部の開口部パラメータは、開口部の高さ、幅等を含み、図５に示す開口部規格入力画面により予め設定される。
【００３１】
また、開口部入力画面または開口部規格入力画面では、開口部が窓である場合は、引き違い窓、FIX窓、上げ下げ窓、すべり出し窓、うち倒し窓、ルーバー窓等の窓の種類（形態）を、開口部が玄関の場合は、親子開き戸、両開き戸、引き戸等の玄関の種類（形態）を選択して入力でき、設定した窓や玄関の種類（形態）に合わせて壁面に設定・表示する開口部の絵（画像）を変更するようにしてもよい。
【００３２】
なお、自動的に設定された開口部パラメータは、各開口部パラメータの入力部において任意の値に変更することが可能である。この後に、フローはステップＳ１０４へ移行する。
【００３３】
ステップＳ１０４では、開口部入力画面において、開口部パラメータを入力した後に、「取り付け」ボタンを選択する（図４参照）。この操作により、図６に示すように、建築物の立面図に、設定した開口部パラメータに基づく開口部が重畳されて表示される。なお、選択した壁面の壁面設定画面に、設定した開口部パラメータに基づく開口部が重畳されて表示されてもよい。この後に、フローはステップＳ１０５へ移行する。
【００３４】
ステップＳ１０５で、選択した壁面に対する開口部の設定作業は終了する。ステップＳ１０１〜ステップＳ１０５を繰り返すことで、他の壁面に対しても開口部を設定することができる。
【００３５】
上記ステップＳ１０２、ステップＳ１０３、ステップＳ１０４が、それぞれ請求項における壁面選択ステップ、開口部入力ステップ、開口部設定・表示ステップに相当する。
【００３６】
また、制御部１００、入力部２００、表示部３００、記憶部４００、一時記憶部５００が統合して、請求項における壁面選択部、開口部設定部、開口部表示部として作動する。
【００３７】
また、各ステップは、コンピュータのプログラムに基づいて、制御部１００、入力部２００、表示部３００、記憶部４００、一時記憶部５００により実行される。
【００３８】
なお、設定した開口部の変更は、図４に示す開口部入力画面において、各種パラメータ入力部において新たな値を入力した後、「取り付け」ボタンを選択することで、容易に行うことができる。
【００３９】
また、設定した開口部の削除は、図４に示す開口部入力画面において、削除する開口部の左端のチェックボックスを選択してチェックボックスを非選択状態とし、「取り付け」ボタンを選択することで、容易に行うことができる。
【００４０】
以上、本発明の実施形態を、図面を用いて詳述したが、実施例は本発明の例示にしか過ぎず、本発明は実施形態の構成にのみ限定されるものではない。したがって本発明の要旨を逸脱しない範囲の設計の変更等があっても本発明に含まれることはもちろんである。
【００４１】
例えば、上述した実施形態では、本発明の建築物の開口部設定システムを単独のシステムとして説明を行ったが、本発明の建築物の開口部設定システムが、本願出願者による特願２００５−２６７９０１に記載の、建築物の設計図から壁部材や屋根部材等を拾い出して必要な建材の数量を積算する外装建材積算システム、特願２００７−１２５１５３に記載の、建築物の部材の拾い出し作業時に桁を作成し選択することで屋根面の立体図を自動的に生成する建築物の部品拾い出しシステム、特願２００７−１２５３９３に記載の、建築物の部品の拾い出し作業時に部品の平面図を簡単に作成することができる建築物の部品拾い出しシステム等に備えられているものとしてもよい。
【００４２】
また、上述した実施形態における開口部の属性は一例であり、あらかじめ選択枝として記憶した任意の属性を設定できるものであればよい。
【００４３】
また、上述した実施形態における開口部の種類（形態）は一例であり、あらかじめ選択枝として記憶した任意の属性を設定できるものであればよい。
【００４４】
さらに、ブロック図は図１に示すものに限定されるものではなく、実施形態と同等の動作を行うものであればよい。
【図面の簡単な説明】
【００４５】
【図１】本発明の実施形態の建築物の開口部設定システムのブロック図である。
【図２】本発明の実施形態の建築物の開口部設定方法および開口部設定システムにおける開口部の設定操作のフローチャートである。
【図３】表示部に表示される壁面設定画面の一例である。
【図４】表示部に表示される開口部入力画面の一例である。
【図５】表示部に表示される開口部規格入力画面の一例である。
【図６】設定された開口部が建築物の立面図に重畳表示された例である。
【符号の説明】
【００４６】
１００  制御部
２００  入力部
３００  表示部
４００  記憶部
４１０  記憶媒体
５００  一時記憶部
【図１】
2010009267.tif 000003
【図２】
2010009267.tif 000004
【図３】
2010009267.tif 000005
【図４】
2010009267.tif 000006
【図５】
2010009267.tif 000007
【図６】
2010009267.tif 000008